(57)【要約】【課題】高圧放電灯点灯装置において、始動時の制御に起因する黒化、立ち消え、スパッタリング等の問題を、従来の回路構成を変更せずに解決する。【解決手段】直流電力を出力するチョッパ回路、チョッパ回路の出力を交流出力に変換して高圧放電灯に供給するフルブリッジ回路、高圧放電灯を始動するためのパルス電圧を発生させるイグナイタ回路、並びにチョッパ回路及びフルブリッジ回路を制御する制御部を備えた高圧放電灯点灯装置において、イグナイタ回路が高圧放電灯の点灯の有無を検出して制御部に出力する点灯検出手段を備え、点灯検出後の第１の期間のランプ電流が第１のピーク値以下となるように、かつ、所定期間経過後の第２の期間のランプ電流が第２のピーク値となるように、制御部がチョッパ回路又はフルブリッジ回路を制御するように構成され、第１の期間が０．５〜３秒であり、第２のピーク値が第１のピーク値の１．２〜５倍となるようにした。【選択図】図２
2010055915.tif 000002
【特許請求の範囲】
【請求項１】
直流電力を出力するチョッパ回路、該チョッパ回路の出力を交流出力に変換して該高圧放電灯に供給するフルブリッジ回路、該高圧放電灯を始動させるためのパルス電圧を発生させるイグナイタ回路、並びに該チョッパ回路及び該フルブリッジ回路を制御する制御部を備えた高圧放電灯点灯装置において、前記イグナイタ回路が該高圧放電灯の点灯の有無を検出して前記制御部に出力する点灯検出手段を備え、
点灯検出後の第１の期間のランプ電流が第１のピーク値以下となるように、かつ、該所定期間経過後の第２の期間のランプ電流が該第１のピーク値よりも大きい第２のピーク値となるように、前記制御部が前記チョッパ回路又は前記フルブリッジ回路を制御するように構成され、該第１の期間が０．５秒より長く３秒以下であり、該第２のピーク値が該第１のピーク値の１．２倍以上５倍以下である高圧放電灯点灯装置。
【請求項２】
請求項１記載の高圧放電灯点灯装置において、前記共振回路が前記高圧放電灯に直列接続されるインダクタを含み、
前記第１の期間から前記第２の期間に移行する際に前記制御部が前記フルブリッジ回路の駆動周波数を下げるように構成された高圧放電灯点灯装置。
【請求項３】
請求項１記載の高圧放電灯点灯装置において、前記第１の期間から前記第２の期間に移行する際に前記制御部が前記チョッパ回路の出力電圧を上昇させるように構成された高圧放電灯点灯装置。
【請求項４】
請求項１記載の高圧放電灯点灯装置において、前記フルブリッジ回路が該フルブリッジのスイッチング動作により共振電圧を発生させる共振回路を備え、
前記イグナイタ回路が、前記共振電圧を充電する充電回路、該充電回路に発生した電圧が所定値以上になると短絡する放電ギャップ、及び１次巻線が該放電ギャップに２次巻線が前記高圧放電灯に接続されるパルストランスからなり、
前記点灯検出手段が前記充電回路の電圧を検知する電圧検知回路からなる高圧放電灯点灯装置。
【請求項５】
請求項１記載の高圧放電灯点灯装置、高圧放電灯、該高圧放電灯が取り付けられるリフレクタ、及び少なくとも該高圧放電灯点灯装置を内包する筐体からなる光源装置。
【請求項６】
高圧放電灯を始動するための方法であって、
（Ａ）イグナイタ回路によって前記高圧放電灯に始動パルスを印加するステップ、
（Ｂ）前記イグナイタ回路において前記高圧放電灯の点灯開始を検出するステップ、
（Ｃ）点灯開始が検出された後の所定期間に、交流出力回路によって第１のピーク値以下の高周波電流を前記高圧放電灯に通電するステップ、及び
（Ｄ）前記所定期間経過後に、前記交流出力回路によって第１のピーク値よりも高い第２のピーク値の高周波電流を前記高圧放電灯に通電するステップ
からなり、
該第１の期間が０．５秒より長く３秒以下であり、該第２のピーク値が該第１のピーク値の１．２倍以上５倍以下である方法。
【請求項７】
請求項６記載の方法において、前記高圧放電灯にインダクタが直列接続され、前記ステップ（Ｄ）が前記交流出力回路の駆動周波数を下げるステップを含む方法。
【請求項８】
請求項６記載の方法において、前記ステップ（Ｄ）が前記交流出力回路の出力電圧を上昇させるステップを含む方法。
【発明の詳細な説明】
【技術分野】
【０００１】
本発明は高圧放電灯を点灯させるための高圧放電灯点灯装置の改良、特に高圧放電灯の始動方法の改良に関する。
【背景技術】
【０００２】
近年、高圧放電灯点灯装置の電子化による小型、軽量化が進み図１に示すような降圧チョッパ回路２０とフルブリッジ回路３０、およびイグナイタ回路４０の組合せにより高圧放電灯（以下、「ランプ」という）５０を高周波始動、または矩形波始動させ、その後、低周波の矩形波で安定に点灯させる高圧放電灯点灯装置が普及しつつある。なお、本明細書において高周波とは１ｋＨｚより高い周波数、低周波とは１ｋＨｚ以下の周波数を言うものとする。
【０００３】
図１の回路の動作を説明する。降圧チョッパ回路２０を構成するＰＷＭ制御回路２８の制御において、抵抗２６によってランプ電圧に比例したランプ電圧信号が検出され、抵抗２７によってランプ電流に比例したランプ電流信号が検出される。ランプ電流信号とランプ電圧信号を乗算器にて乗算した電圧信号またはマイコンにて演算した電圧信号と、ランプ５０の定格ランプ電圧時に定格ランプ電力で点灯できるように予め設定した基準電圧とが誤差増幅器にて比較され、ランプ電流信号とランプ電圧信号を乗算した電圧信号またはマイコンにて演算した電圧信号が一定となるようにトランジスタ２１のデューティ比がパルス幅制御される。これによってランプ５０が所望の電力で点灯される。
【０００４】
次に、降圧チョッパ回路２０の直流出力受けて動作するフルブリッジ回路３０の動作を説明する。トランジスタ３１及び３４とトランジスタ３２及び３３がブリッジ制御回路３５によって所定の周波数で交互に導通・非導通を繰り返すように制御され、これにより降圧チョッパ回路２０の直流出力が交流電流に変換されてランプ５０に供給される。
【０００５】
ここでランプ５０の始動時において、高周波始動の場合、一定時間ブリッジ制御回路３５で制御される周波数を数十ｋＨｚに高めることにより、トランジスタ３１及び３４とトランジスタ３２及び３３の中点に接続されたチョークコイル３６とコンデンサ３７の直列回路が共振し、チョークコイル３６のインダクタンスとコンデンサ３７の容量とブリッジ制御回路３５の周波数で決まる正弦波の共振電圧がチョークコイル３６およびコンデンサ３７端に発生し、コンデンサ３７に並列に接続されているランプ５０端にもその高周波の共振電圧が印加される。
【０００６】
次に、ランプ５０を始動させるためのイグナイタ回路４０の動作を説明する。先に説明したフルブリッジ回路が数十ｋＨｚの高周波で動作しているときのコンデンサ３７端に発生する高周波の正弦波電圧を受け、チョークコイル３６とコンデンサ３７の接続点側がプラス電位のときにダイオード４１、抵抗４３、コンデンサ４５の向きに電流が流れコンデンサ４５が充電される。
【０００７】
また、高周波の正弦波電圧の極性が反転し、チョークコイル３６とコンデンサ３７の接続点がマイナス電位のときはコンデンサ４６、抵抗４４、ダイオード４２の向きに電流が流れコンデンサ４６が充電される。
【０００８】
上記の動作を繰り返すことにより、コンデンサ４５とコンデンサ４６の直列回路端の電位は徐々に上昇していく。一般的にはコンデンサ３７端に発生する電圧はチョークコイル３６とコンデンサ３７の共振回路による共振周波数で決まり、その周波数特性を図８に示す。従来的には、始動時には共振周波数ｆoの５分の１の周波数ｆ５付近の周波数特性が用いられる（例えば、特許文献１）。
【０００９】
より詳細には、まずフルブリッジ回路３０を例えばスタート周波数ｆｓで動作を開始させ、時間と共に周波数を低くしていく。そうすると共振電圧は図８の周波数特性に応じて曲線的に上昇していく。図９に示すように、例えば周波数ｆｈ、すなわち電圧Ｖｈにて放電ギャップ４８がブレークダウンした場合、電圧検知回路４９がそのブレークダウンを検出することでフルブリッジ回路３０の周波数が固定され、一定間隔のパルス電圧を継続して発生することになる。
【００１０】
この時のチョッパ回路２０の出力電圧は、例えばＤＣ３８０Ｖの入力直流電圧を受け、設定された一定の電圧、例えばＤＣ２００Ｖを出力している。なお、高圧放電灯の放電電圧は一般的には高くても１５０Ｖ程度が上限となる。
【００１１】
前記のように放電ギャップ４８がブレークダウンすると、パルストランス４７の二次巻線には、一次巻線に印加された電圧に対してパルストランス４７の昇圧比に応じたパルス電圧が発生し、その電圧はコンデンサ３７を介してランプ５０に印加されるため高圧放電灯５０が、そのパルス電圧により絶縁破壊し、ランプ電流は図４で示すようにグロー放電(Ａ)を経てアーク放電(Ｂ〜Ｅ)へ移行していく。
【００１２】
この時のアーク放電時のランプ電流値は、先のフルブリッジ回路３０からの矩形波高周波電圧を受け、チョークコイル３６のインダクタンス値、パルストランス４７のインダクタンス値とその周波数により決まる値に限流されたものになる。
【００１３】
この過程をもう少し詳細に説明すると、液晶プロジェクタ等に使用される放電灯は一般的に空冷条件下で使用するものであり、また反射鏡付となるため左右の電極近傍の熱容量が異なり、かつ空冷の受け方も異なるため、ランプ消灯時の電極近傍の温度の下がり方に差が生じる。そして、図５Ａに示すように温度が早く低下する側の電極近傍に、蒸発していた水銀が偏って液化し付着することとなる。
【００１４】
図５Ａの状態でランプにパルス電圧をかけ絶縁破壊を起こすとグロー放電を開始する。このグロー放電は偏っていた水銀の影響を受け、熱容量の小さい方、すなわち水銀なし側の電極が先に加熱されていく。すると、電極の中でも図５Ｂで示す外側コイルのエッジように熱容量の小さい部分が先に温度が上昇し、その部分が充分加熱されると、その点をスポットとして熱電子放射であるアーク放電が開始される。
【００１５】
アーク放電に移行しても、水銀が付着していなかった側の電極が陰極となる方向で半波でしか電流は流れないが、半波のアーク放電を持続させることにより、もう一方の水銀が付着していた側の電極の水銀も徐々に蒸発していくにつれ、電極の温度も上昇し非対称ながらも電流が流れ始め（図４の期間Ｃ）、十分温度が上昇すると対称な高周波電流（図４の期間Ｄ）となる。
【００１６】
そして、対称な高周波電流となってから、５０〜４００Ｈｚの低周波の矩形波（図４の期間Ｅ）電流へ移行させることにより、その時点での立ち消えや電極への必要以上のスパッタを防止することが可能となる。
【００１７】
次に、図３に液晶プロジェクタ用光源装置に用いられる放電灯の発光管の一例を示す。電極３の根元側に放熱コイル４が形成されており、電極３の根元３ａ側のコイルエンド４ａから放電管５の内壁５ａまでの距離Ｌが大きいと、封止部６に埋設された電極３の根元３ａ周辺が温まらずに水銀の蒸発が遅れ、始動立ち上がり時間がかかり、プロジェクタ装置の電源投入後（点灯開始後）から画面が所定の明るさに達するまでの所要時間が長引くため、その距離は１ｍｍ以下に設計されている。
【００１８】
しかしながら、その距離を１ｍｍ以下とした高圧水銀ランプ２では、その点灯が繰り返し行われると、先の説明のように始動パルスを印加して放電を開始させグロー放電からアーク放電へ移行する際に、瞬間的にアークが広がり特に図５Ｃのようにアーク放電に移行した際のアークスポットと放電管５の内壁５ａの距離が近い場合、図４の丸点線で示す時点で瞬間的に広がったアークが内壁５ａに接触し電極構成材料であるタングステンが付着し黒化現象を起こすことがある。この現象は、例えば図８の共振周波数ｆ０の５分の１の周波数ｆ５付近で高周波点灯させた場合の高周波始動時のピーク電流が大きい状態でグロー放電からアーク放電へ移行する際に起こることがわかっている。そしてこの黒化は早期に照度低下を生じ、黒化が激しい場合は内壁への熱的な負荷が増大して放電管を破損させ、ランプ寿命を短縮させるという問題があった。
【００１９】
そこで、上記問題を回避するため予め共振周波数ｆ０の３分の１の周波数ｆ３（ｆ３＞ｆ５）付近で高周波点灯させ、図６に示すように高周波始動時のピーク電流を低減することで、アーク放電移行時に瞬間的にアークが広がっても内壁５ａに接触しないようにする方法がある。しかしこの場合、電極への予熱不充分が起こり得る。つまり半波点灯時に陽極側となっていた電極の温度が上昇せず、一定時間後に低周波の矩形波点灯へ移行した際に、その電極が陰極となった時、図６の点線で示す時点でアーク放電を行えず必要以上にスパッタされたり、立ち消えを起したりする場合がある。
【００２０】
また、予め上記のような高周波点灯時のピーク電流を低減させた方法において、高周波点灯時間を長くし小さい電流にした高周波で両電極の温度を充分高めてから低周波の矩形波点灯へ移行させるという方法もある。しかしこの場合、再始動（発光管が冷えていない段階での始動）させた時を考えると、最初から発光管内の圧力が高いため、高周波点灯時間を長くすることにより発光管内に圧力の高い部分と低い部分の定在波が成長し、音響的共鳴現象によるチラツキや立ち消えの原因となってしまう場合がある。
【００２１】
上記の問題の対策として、図７、８のように、期間Ｂ１でｆ３ｓからスタートし一定期間（５０ｍｓ〜５００ｍｓ）高周波点灯時のピーク電流を低減させ、その後の期間Ｂ２にｆ５へ移行し通常の高周波始動電流にて点灯させる方法もある（例えば、特許文献２）。
【００２２】
【特許文献１】特開２００４−１２７６５６号
【特許文献２】特開２００８−１０８６７０号
【発明の開示】
【発明が解決しようとする課題】
【００２３】
しかし、特許文献２（図７）の場合、仮にランプがｆ３の期間Ｂ１内で点灯せずｆ５の期間Ｂ２で点灯した場合、やはり前記のような黒化現象を起こすことがある。
【００２４】
そこでランプが点灯したことを検出し、点灯後一定期間は黒化しないように小さくした高周波始動電流をランプに流し、一定期間後は電極を充分に予熱できるような前記よりも大きい高周波始動電流をランプに流す必要がある。しかし、高周波動作によりパルスが発生しランプが点灯しても高周波動作期間は周波数が高いため、チョークコイル３６のインピーダンスは大きくなってしまう。このためチョッパ回路部２０の出力は上限値ＤＣ２００Ｖに保たれつつも、ランプにはほとんど電流が流れない。よって通常の低周波動作時にランプ電圧を検出している図１の電圧検出部Ａ、あるいは図１の電流検知抵抗２７ではランプが点灯したかどうかは検出できない。また別の方法として、チョークコイル３６に補助巻き線など巻き、その部分の電圧を検出してランプが点灯したかどうかを判断することができるが、それには検出用の部品が増えるため、コストの面でも基板を設計する際のスペースの面でも妥当でない。
【００２５】
従って、本発明は上記問題、即ち、図４の期間Ｂや図７の期間Ｂ２で起こり得る黒化や、図６の期間ＣからＥへの移行時に起こり得る立消えの問題を、従来の回路構成（ハード部分）を変更せずに制御面で解決し、ランプの始動性改善及び長寿命化を図ることを技術的課題としている。
【課題を解決するための手段】
【００２６】
本発明の第１の側面は、直流電力を出力するチョッパ回路、チョッパ回路の出力を交流出力に変換して高圧放電灯に供給するフルブリッジ回路、高圧放電灯を始動させるためのパルス電圧を発生させるイグナイタ回路、並びにチョッパ回路及びフルブリッジ回路を制御する制御部を備えた高圧放電灯点灯装置において、イグナイタ回路が高圧放電灯の点灯の有無を検出して制御部に出力する点灯検出手段を備え、点灯検出後の第１の期間のランプ電流が第１のピーク値以下となるように、かつ、所定期間経過後の第２の期間のランプ電流が第１のピーク値よりも大きい第２のピーク値となるように、制御部がチョッパ回路又はフルブリッジ回路を制御するように構成され、第１の期間が０．５秒より長く３秒以下であり、第２のピーク値が第１のピーク値の１．２倍以上５倍以下である高圧放電灯点灯装置である。
【００２７】
ここで、共振回路が高圧放電灯に直列接続されるインダクタを含み、第１の期間から第２の期間に移行する際に制御部がフルブリッジ回路の駆動周波数を下げる構成としてもよい。
【００２８】
また、第１の期間から第２の期間に移行する際に制御部がチョッパ回路の出力電圧を上昇させる構成としてもよい。
【００２９】
さらに、フルブリッジ回路がフルブリッジのスイッチング動作により共振電圧を発生させる共振回路を備え、イグナイタ回路が、共振電圧を充電する充電回路、充電回路に発生した電圧が所定値以上になると短絡する放電ギャップ、及び１次巻線が放電ギャップに２次巻線が高圧放電灯に接続されるパルストランスからなり、点灯検出手段が充電回路の電圧を検知する電圧検知回路からなる構成とした。
【００３０】
本発明の第２の側面は、上記第１の側面の高圧放電灯点灯装置、高圧放電灯、高圧放電灯が取り付けられるリフレクタ、及び少なくとも高圧放電灯点灯装置を内包する筐体からなる光源装置である。
【００３１】
本発明の第３の側面は、高圧放電灯を始動するための方法であって、（Ａ）イグナイタ回路によって高圧放電灯に始動パルスを印加するステップ、（Ｂ）イグナイタ回路において高圧放電灯の点灯開始を検出するステップ、（Ｃ）点灯開始が検出された後の所定期間に、交流出力回路によって第１のピーク値以下の高周波電流を高圧放電灯に通電するステップ、及び（Ｄ）所定期間経過後に、交流出力回路によって第１のピーク値よりも高い第２のピーク値の高周波電流を高圧放電灯に通電するステップからなり、第１の期間が０．５秒より長く３秒以下であり、第２のピーク値が第１のピーク値の１．２倍以上５倍以下である方法である。
【００３２】
ここで、高圧放電灯にインダクタが直列接続され、ステップ（Ｄ）が交流出力回路の駆動周波数を下げるステップを含んでもよい。
【００３３】
また、ステップ（Ｄ）が交流出力回路の出力電圧を上昇させるステップを含んでもよい。
【発明の効果】
【００３４】
本発明によると、始動時の制御に起因する黒化、立消え、スパッタリング等の問題を、従来の回路構成を変更せずに解決し、ランプの始動性改善及び長寿命化を図ることができる。
【発明を実施するための最良の形態】
【００３５】
本発明は、ランプの放電開始を検出しアーク放電移行時の半波点灯のピーク電流を所定時間制限し、その後、全波電流によるアーク放電を想定した設計値の高周波電流値へ移行させるものである。特に、従来の回路構成（回路図に表れる部分）を変更することなく、上記所定期間の計測等を確実に行なうことにより、上記のシーケンスを達成するものである。
【００３６】
本発明における高圧放電灯点灯装置の回路構成は従来例である図１と同じであり、その制御のみが異なるため、制御について以下に説明する。
【００３７】
従来例と同様にフルブリッジ回路のトランジスタ３１、３４トランジスタ３２、３３を交互に数十ｋＨｚの高周波でＯＮ／ＯＦＦさせることによりチョークコイル３６とコンデンサ３７は共振し、チョークコイル３６とコンデンサ３７の接続点側がプラス電位のときにダイオード４１、抵抗４３、コンデンサ４５の向きに電流が流れコンデンサ４５が充電される。高周波の正弦波電圧の極性が反転し、チョークコイル３６とコンデンサ３７の接続点がマイナス電位のときはコンデンサ４６、抵抗４４、ダイオード４２の向きに電流が流れコンデンサ４６が充電される。上記の動作を繰り返すことにより、コンデンサ４５とコンデンサ４６の直列回路端の電位は徐々に上昇する。このコンデンサ４５、４６の直列回路端が放電ギャップ４８のブレークオーバー電圧を超えると放電ギャップ４８は絶縁破壊を起こし、コンデンサ４５、４６に蓄積された電荷がパルストランス４７の一次側に一気に放出され、二次側には巻き数比に応じたパルス電圧が発生する。
【００３８】
そして、パルス電圧を印加されたランプ５０は絶縁破壊を起こし図２Ａのようにグロー放電が開始される。すると従来例と同様に偏っていた水銀の影響を受け、水銀なし側の電極の特に図５Ｂのように熱容量の小さい外側コイルのエッジの温度が高くなり、その部分を起点にアーク放電へ移行する。この際、電極や発光管形状にもよるが半波放電したアーク放電の電流のピーク値を例えば図２のＢのようにピーク２Ａ以下になるような周波数を設定することにより、図５Ｃのように内側コイルエッジがアークスポットとなり、グロー放電からアーク放電へ移行した際に、瞬間的にアークが広がってもアークが図３の内壁５ａに接触するほどの大きさとならないため電極材料の飛散による、放電管内部の黒化現象が生じない。
【００３９】
また、上記半波放電で例えば２Ａピークの電流値のままでは電極の温度上昇が不充分となり、立ち消える場合がある。そのため、半波放電で２Ａピーク（ゼロ−ピーク）の電流に制限する期間を、例えばランプが点灯したのを検出してから１秒間のみ（図２の期間Ｂ）と限定し、以降を電極が充分予熱できる電流、例えば２秒間６Ａピーク（ピーク−ピーク）に設定する（期間Ｄ）。そうすることにより、水銀が付着していない側の電極も高周波点灯期間に充分に温度が上昇し、スムーズなアーク放電への移行が可能となる。そして、仮に１秒経っても半波状態が継続していたとしても、小さい高周波始動電流の状態で電極が温められるので、大きい電流に移行した際に全波に移行し易いというメリットもある。
【００４０】
なお、期間Ｂは０．５秒より長く３秒以下、そのピーク電流値（ゼロ−ピーク）は１Ａ以上４Ａ以下が適切である。期間Ｄは０．５秒以上３秒以下、そのピーク電流値が期間Ｂの電流値の１．２倍以上５倍以下が適切である。特に、期間Ｂと期間Ｄの合計時間は３秒（±０．５秒）程度が望ましいが、これに限られない。
【００４１】
ここで、ランプが点灯したことを検出する手段について、部品追加をせず図１の従来回路によりランプが点灯したことを検出する手段を以下に説明する。
【００４２】
前記のようにパルス電圧が発生してもランプ５０が点灯しなかった場合は、コンデンサ４５、４６は充放電を繰り返す。すなわち放電ギャップ端電圧も図９のように絶縁破壊・非絶縁破壊を繰り返すことになり、電圧は常に変動している。
【００４３】
ところがパルス電圧が発生し、絶縁破壊を起こしてランプ５０が点灯すると、共振による電圧はランプに印加されることになる。よってコンデンサ４５、４６には電荷が溜まらなくなるので電位は上昇せず、すなわち図９のように放電ギャップ端電圧も上昇しない。この一定期間電圧が上昇しないことを電圧検知回路４９で検出し、ランプ５０が点灯したかどうかを確実に判断することができる。
【００４４】
ランプ５０が点灯したことさえ正確に検出できれば点灯後の高周波電流を適切に制御できる。例えばスムーズなアーク放電への移行をするために高周波電流のピーク値を２段階に切り替えるとするならば、前記の方法でランプの点灯を検出してから、（１）フルブリッジ回路部３０の周波数を変更する（点灯後の共振点に近づける）、（２）図１の直流電力供給回路部２０の出力電圧を切り替える（回路部品の高耐圧化が必要な場合もあるが部品点数、部品配置に変更は生じない）手段が考えられる。そして、それらを組み合わせ、又は２段階ではなく多段階的で切り替えても同等以上の効果を得ることができる。
【００４５】
また、従来回路の構成を変更しないとする本発明の趣旨からは外れるが、期間Ｂから期間Ｄへの移行の際にランプ電流を増加させることだけが目的であれば、上記の（１）又は（２）の他に、共振回路に追加インダクタを直列接続し、追加インダクタにスイッチを並列接続してそのスイッチの開閉により共振回路の共振点を変える手段（スイッチ閉で電流増）も考えられる。基板のスペースに追加インダクタやスイッチを実装する余裕がある場合等に有効な手段である。
【００４６】
上記実施例では、始動動作に起因する黒化、立ち消え及びスパッタリングを防止する高圧放電灯点灯装置を示したが、それを用いたアプリケーションとしての光源装置を図１０に示す。図１０において、６１は上記で説明した実施例の高圧放電灯点灯装置、６２は高圧放電灯５０が取り付けられるリフレクタ、６３は高圧放電灯点灯装置６１、高圧放電灯５０及びリフレクタ６２を内蔵する筐体である。なお、図は実施例を模擬的に図示したものであり、寸法、配置などは図面通りではない。そして、図示されない映像系の部材等を筐体６３内に適宜配置してプロジェクタが構成される。
【００４７】
これにより、始動性が良く、ランプの交換サイクルが長く、信頼性の高い光源装置を得ることができる。
【図面の簡単な説明】
【００４８】
【図１】従来の高圧放電灯点灯装置の回路図である。
【図２】本発明における放電灯点灯装置の始動時ランプ電流波形を示す図である。
【図３】一般的な高圧放電灯の発光管を示す図である。
【図４】従来の高圧放電灯点灯装置の始動時ランプ電流波形例を示す図である。
【図５Ａ】高圧放電灯の発光管の水銀とアークスポットを説明する図である。
【図５Ｂ】高圧放電灯の発光管の水銀とアークスポットを説明する図である。
【図５Ｃ】高圧放電灯の発光管の水銀とアークスポットを説明する図である。
【図６】従来の放電灯点灯装置の始動時ランプ電流波形を示す図である。
【図７】従来の放電灯点灯装置の始動時ランプ電流波形を示す図である。
【図８】高圧放電灯点灯装置の動作を説明する共振回路の特性図である。
【図９】高圧放電灯点灯装置の高周波動作期間での動作を示す各動作波形を示す図である。
【図１０】本発明の光源装置を示す図である。
【符号の説明】
【００４９】
１０：直流電源
２０：チョッパ回路
２１：トランジスタ
２２：ダイオード
２３：チョークコイル
２４：コンデンサ
２５、２６、２７：抵抗
２８：ＰＷＭ制御回路
３０：フルブリッジ回路
３１、３２、３３、３４：トランジスタ
３５：ブリッジ制御回路
３６：チョークコイル
３７：コンデンサ
４０：イグナイタ回路
４１、４２：ダイオード
４３、４４：抵抗
４５、４６：コンデンサ
４７：パルストランス
４８：放電ギャップ
４９：電圧検知回路
５０：高圧放電灯(ランプ)
６１：高圧放電灯点灯装置
６２：リフレクタ
６３：筐体
【図１】
2010055915.tif 000003
【図２】
2010055915.tif 000004
【図３】
2010055915.tif 000005
【図４】
2010055915.tif 000006
【図５Ａ】
2010055915.tif 000007
【図５Ｂ】
2010055915.tif 000008
【図５Ｃ】
2010055915.tif 000009
【図６】
2010055915.tif 000010
【図７】
2010055915.tif 000011
【図８】
2010055915.tif 000012
【図９】
2010055915.tif 000013
【図１０】
2010055915.tif 000014